(57)【要約】  物質を収容し、それを標的領域に、スプレー形態で送達するための噴霧器−容器組立品。この組立品は、  容器および、前記容器からある量の物質を吸入して、出口ノズルに向けて送出するために、前記容器に連結されたポンプ；  前記ポンプを作動させるためのボタンであって、前記ボタンの側面を備えるボタン；  前記容器に連結可能であり、前記ボタンの側面の少なくとも一部を包囲する本体；  不使用形態および使用形態を推定するように構成された噴霧カニューレ；および、  前記カニューレが、前記組立品がその不使用形態にあるときに、前記カニューレを固定された状態で保持することができる、カニューレ  ハウジングとを備え、前記本体は、前記ボタンを実質的に、並進運動で維持し、ガイドするように構成されている。
2019511978.tif 000002
【特許請求の範囲】
【請求項１】
物質を含有し、そして、対象領域（ｔａｒｇｅｔ  ａｒｅａ）において、スプレーの形態で、それを送達するための噴霧器−容器組立品（１０）であって、
前記組立品（１０）は：
前記容器（１２）から、一定の物質を吸引し、そして、出口ノズル（１４２）に向けて、それを送達するために、容器（１２）および前期容器（１２）に連結されているポンプ（１４）；
前記ポンプ（１４）を作動させるためのボタン（１６）であって、ボタン側面（１６ｂ）を含む前記ボタン（１６）；
容器（１２）に連結し得、そして、前記ボタン側面（１６ｂ）の少なくとも一部を包囲する本体（１８）；
不使用形態および使用形態を想定されるように構成された噴霧カニューレ（２０）；そして
組立品（１０）が、その不使用構成にあるとき、カニューレ（２０）の全長が、実質的に、安全な方法で保持することができる、カニューレハウジング（２２）を含み、
前記本体（１８）は、前記ボタン（１６）を、実質的に並進運動（ｔｒａｎｓｌａｔｉｏｎａｌ  ｍｏｖｅｍｅｎｔ）で保持しかつ案内するように構成されている、噴霧器−容器組立品。
【請求項２】
前記本体（１８）が、前記容器（１２）から上方に（ｕｐｗａｒｄｌｙ）突出する（ｐｒｏｊｅｃｔｓ）部材を備え、前記部材の内面がボタンの側面（１６ｂ）の対応する部分に直接対する、請求項１に記載の組立品（１０）。
【請求項３】
請求項２に記載の組立品（１０）において、前記ボタン（１６）は、短軸と、前記短軸の長さより長い長軸を有する断面によって特定される非円形の形状を有する。
【請求項４】
前記部材は、前記容器（１２）の輪郭の少なくとも一部に沿っている、請求項２または３のいずれか１項に記載の組立品（１０）。
【請求項５】
前記部材は、容器（１２）の輪郭の一部に続いて上方に延びる、２枚の翼を含む（１８ａ、１８ｂ）を含む、請求項２〜４のいずれか１項に記載の組立品（１０）。
【請求項６】
前記２つの翼（１８ａ、１８ｂ）が、前記カニューレ（２０）のためのスリットによって分離されている、請求項５の組立品（１０）。
【請求項７】
前記カニューレハウジング（２２）は、前記組立品（１０）の長手方向軸に平行な軸に実質的に沿って延びる溝を備える、前記請求項のいずれか１項に記載の組立品（１０）。
【請求項８】
指先または爪で、カニューレ（２０）を把持し、少なくとも部分的に、ハウジングの外側にカニューレ（２２）を運ぶように構成された、把持切欠部（ｇｒｉｐｐｉｎｇ  ｎｏｔｃｈ）（１２Ｃ）をまた含む、請求項１ないし７の、いずれか１項に記載の組立品（１０）。
【請求項９】
前記噴霧カニューレ（２０）が前記不使用の構成をとるときに、前記ポンプ（１４）の作動が防止されるように、前記溝（２２）が、前記底部（２２ａ）で閉じられている、請求項１〜８のいずれか１項に記載の組立品（１０）。
【請求項１０】
前記カニューレ（２０）は、前記ボタン（１６）に回転自在にヒンジ止めされている（ｈｉｎｇｅｄ）、請求項１〜９のいずれか１項に記載の組立品（１０）。
【請求項１１】
前記組立品（１０）は、短軸と、前記短軸の長さよりも長い長軸による断面により同定された非円形の形状を有する、請求項１〜１０のいずれか１項に記載の組立品（１０）。
【請求項１２】
ユーザーの手の掌に接触するように適合された、曲面（１０ｂ）、およびユーザーの手の指と接触するように適合された平坦面（１０ｆ）を含む、請求項１１に記載の組立体（１０）。
【請求項１３】
前記物質が、ヒトの口腔内で、噴霧形態で分配される、うがい薬または同様のものである、請求項1〜１２のいずれか１項に記載の組立体（１０）。
【発明の詳細な説明】
【背景技術】
【０００１】
本発明は、一般的に、スプレー噴霧器−容器組立品に関する。一実施形態では、本発明は、ヒトの口腔内（ｏｒａｌ  ｃａｖｉｔｙ）で、スプレー形態で噴霧される物質のためのスプレー噴霧器容器に関する。
【０００２】
技術水準
医薬品、パラ医薬品（ｐａｒａ−ｐｈａｒｍａｃｅｕｔｉｃａｌ）またはホメオパシーのいずれかで、喉の痛みを和らげるために使用される、様々な物質が知られている。これらの製品のいくつかは、また、歯肉炎および口内炎における、口内および歯茎の刺激における、消毒剤、抗炎症剤および／または鎮痛剤としても使用される。そのような使用に加えて、歯の摘出の前および／または後にも使用することもできる。
そのような製品の一例は、出願人によって、Ｔａｎｔｕｍ  Ｖｅｒｄｅ  Ｇｏｌａ（商標）という商標で市販されている。この製品には、非ステロイド系抗炎症薬と消毒剤が含まれている。その製品を使用するいくつかの方法がある。そのような製品を使用する一つの方法に従えば、ターゲットゾーン（例えば、口腔または咽頭（ｐｈａｒｙｎｘ））には、カニューレを通して接近され、製品の一定量が、ターゲットゾーンに向けて噴霧される。
【０００３】
上記のスプレー機序による、投与のために現在使用されている容器は、ポンプを閉鎖する金属リングによって上部が閉じられる実質的に円筒形のバイアルを含む。ポンプは、ユーザーが、ボタンの上を指で押すことによって、手で操作される。ポンプの駆動の結果として、物質の予め設定した量が、バイアル内のストローから吸引され、出口ノズルに向かって噴霧される。出口ノズルは、使用時に、物質の所定量を霧状にするように構成されたカニューレの長手方向の空洞（キャビティ）と連通する。
【０００４】
公知の容器では、有利には、カニューレは、不使用（または使用されていない）の構成および使用の構成（上述）をとることができる。残りの構成では、カニューレの軸は、実質的に、バイアルの軸に平行で、そして、バイアルの外側の壁の隣に位置する。使用形態において、カニューレの軸は、バイアルの軸に対して実質的に垂直に配置される。ある構成から他の構成への変換は、カニューレがノズルにヒンジ止めされているという事実を許容する。
【０００５】
上記の既知の容器は、かなり効率的かつ実用的である。しかし、出願人は、それを改善する目的を設定した。
日本特許公開公報、Ｈ０５−４０１８６Ｕ及び日本特許２００２−３５５３０７Ａの各々は、喉に対するスプレー器を開示する。
国際公開第２００８／０８８０９５号Ａ１パンフレットには、折り畳み式ノズルを有するポンピング装置を開示する。
国際公開第２００９／０６３５１８号Ａ１パンフレットは、流体製品の噴霧器用の噴霧器ヘッドを開示する。
【０００６】
発明の概要
第１に、出願人は、休止時または不使用時の位置にある時、カニューレは、周囲の環境に完全に曝されていることに気づいた。不都合なことに、他の物体との接触によって汚染されたり、屈曲したり、そして、場合によっては破損することさえある。
【０００７】
カニューレが曲がったり折れたりする危険性があるため、バイアルにかなり硬いカニューレを付けるように導かれる。
【０００８】
本出願人は、不使用時の構成における、カニューレの全長を保護するように構成された、上記のタイプの容器を提供することを目的とした。本発明によれば、容器は、不使用形態にあるときに、全てのカニューレを保護するように構成された、カニューレ保護ハウジングを有するように構成される。カニューレが完全に保護されていないと、カニューレが損傷したり汚れたりすることがある。カニューレの一部が保護されていない場合、カニューレがポケットなどに挿入されると、カニューレの一部が絡まる可能性がある。
【０００９】
カニューレを不使用しない場合の構成において、保護するように構成された上記のタイプの容器を提供するという上記の目的に加えて、本出願人は、使用中のボタンの、および／またはポンプの不注意による回転を完全に防止する容器を提供することを、目的として設定した。知られているように、容器から物質を噴霧するための典型的なポンプおよび対応するボタンは、噴霧可能な位置および閉鎖されている位置を知らせる。閉鎖位置では、物質の噴霧が防止される。しかし、不都合なことに、閉鎖位置は特定されない。
これは、ユーザーがボタンを押したとき、ポンプが閉鎖位置にあり、物質を噴霧することができないことがあることを意味する。
【００１０】
このような状況は、口や喉に、物質をスプレーしようとするユーザーにとっては非常に不快である。ユーザーは、噴霧器から離れて、正しい噴霧位置を見つける必要がある。この場合、この位置が特定されないと、ユーザーは２つの選択肢を有する。
【００１１】
第１の選択肢によれば、彼／彼女は、ボタンを（カニューレをその拡張構成にして）ある程度回転させて、そして、噴霧位置に当たることを祈ることである。その後、彼／彼女は、彼／彼女の口や喉に再びカニューレを挿入し、そして、再び、ボタンを押す。しかしながら、折角行った回転も、それ自体が不適切であることを明らかにするだけで、ポンプはまだ閉鎖位置にある場合がある。
【００１２】
第２の選択肢によれば、ユーザーは、カニューレが口または喉に入っていない間に、正しい噴霧位置を識別するために「ダミー」のスプレーをすることである。しかし、これは、多くの物質が無駄になるという欠点がある。
【００１３】
方向の問題は、一般的に、ユーザーが感じる問題であるが、目の不自由なユーザーらによっては、特に非常に感じられる。だからこそ、それらの人々のために、ボトルを掴むための特定の所定の位置を有し、そして、カニューレを標的領域に向けるようにできることは、非常に重要である。
【００１４】
出願人は、既知のスプレー容器において、ボタンが、ユーザーの指によって行使された圧力の下で、限られた運動しか行うことができないことも知っている。これは、限られた量の物質しかスプレーできないことを意味する。１回のスプレー行為のために、より多くの物質をスプレーすることができるスプレー容器を提供することが望ましい。
【００１５】
本発明によれば、上記の目的の少なくとも一部は、とりわけ、カニューレ  ハウジング内に不使用形態をとるように構成された噴霧カニューレを含む噴霧器−容器組立品によって達成され、そして、噴霧ボタンは、実質的に回転せず、並進運動（ｔｒａｎｓｌａｔｉｏｎａｌ  ｍｏｖｅｍｅｎ）を達成するのみである。
【００１６】
このようにして、ポンプは、スプレーが不可能とされている閉鎖位置を推定することができない。ユーザーは、自分の口や喉に、物質をスプレーしているときに、スプレーすることができないというリスクを冒さない。いくつかの実施形態では、スプレーは、その不使用形態のカニューレによって防止される。
本発明によれば、物質を収容するため、および、ターゲット領域において、スプレーの形態で（または霧状）、そのような物質を送達するために、噴霧器―容器組立品が提供され、組立品は、以下を含む。
前記容器から、一定の物質を吸引し、そして、出口ノズルに向けて、それを送達するために、容器および前期容器に連結されているポンプ；
前記ポンプを作動させるためのボタンであって、ボタン側面を含む前記ボタン；
容器に連結し得、そして、前記ボタン側面の少なくとも一部を包囲する本体；
不使用形態および使用形態を推定できる様に構成された噴霧カニューレ；そして、
組立品が、その不使用構成にあるとき、カニューレの全長が、実質的に、安全な方法で保持することができる、カニューレ  ハウジングを含み、
前記本体は、前記ボタンを、実質的に並進運動（ｔｒａｎｓｌａｔｉｏｎａｌ  ｍｏｖｅｍｅｎｔ）で保持しかつ案内するように構成されている、噴霧器−容器組立品。
本明細書および特許請求の範囲において、表現「本質的に並進運動」は、ボタンが、最小の回転運動、例えば構成要素間の作用（plays）によって引き起こされる回転運動を除いて、いかなる回転運動を伴わずに並進運動のみを実行することを示すために使用される。
したがって、原則として、上記の表現は、非常に少数の角度の（１°〜５°、好ましくは１°〜３°、より好ましくは１°〜２°）回転運動を伴う並進運動を提供する。
実施形態において、本体は、前記容器から上方に突出する部材を備え、前記部材の内面は、ボタンの側面の対応する部分に直接面している。
好ましくは、ボタンは、短軸および、前記短軸の長さよりも大きい長軸を有する断面により特定される非円形の形状を有する。
実施形態では、部材は、容器の輪郭の少なくとも一部分に従う。
実施形態では、部材は、容器の輪郭の一部に沿って上方に延びる、２つの翼を含む。
実施形態では、２つ翼は、カニューレ用のスリットにより、分離されている。
実施形態では、カニューレハウジングは、組立品の長手方向軸に平行な軸に実質的に沿って延びる溝を備える。
実施形態では、指先または爪で、カニューレを把持し、そして、カニューレの少なくとも一部をハウジングの外側に持っていくように構成された把持ノッチが提供される。
実施形態では、溝は、底部で閉じられているので、噴霧カニューレが不使用の構成を推定するときに、前記ポンプの作動が阻止される。
【００１７】
実施形態において、カニューレは、ボタンに回転可能にヒンジ止めされている。
実施形態では、組立品は、短軸および、前記短軸の長さよりも長い長さの長軸を有する断面図によって特定された、非円形の形状を有する。
実施形態では、組立品は、ユーザーの手の手のひらと接触するように適合された湾曲面と、ユーザーの手の指に接触するように適合された平坦な面とを備える。
物質は、ヒトの口腔内で、スプレー形態で噴霧される、うがい薬または同様のものであってもよい。
【図面の簡単な説明】
【００１８】
本発明は、提供される添付の図面を参照して読まれるべき例示であって、限定ではなく、以下の説明からより明らかになるであろう。
【図１】図１は、既知の噴霧器容器組立品を示す。
【図２】図２は、本発明による、噴霧器容器組立品を示す。
【図３】図３は、ポンプボタンのない本発明に係る、噴霧器容器組立品を示す。
【図４Ａ】図４Ａは、本発明による噴霧容器の側面図である。
【図４Ｂ】図４Ｂは、図４の線Ｂ−Ｂに沿った断面図である。
【図５】図５は、本発明に斯かる、噴霧器容器組立品の正面図である。
【図５Ａ】図５Ａは、図５の線Ａ−Ａに沿った断面図である。そして、
【図６】図６は、本発明による、噴霧器容器組立品の上面図である。
【発明の詳細な説明】
【００１９】
図１は、その閉鎖の構成時（すなわち、不使用時の構成において）における、既知の噴霧器−容器を示す。
容器は、実質的に、ポンプがマウントされている、リングナット（図示せず）によって、上部が閉鎖されている円筒形のバイアルを含む。
ポンプは、上部に圧力をかけることによって、ユーザーによって手動で作動される。ポンプを作動させる結果として、物質の所定の量は、典型的には、バイアルの軸方向に配置され、バイアル内のストローから吸引され、そして、出口ノズルに向かって噴霧される。出口ノズルは、操作ボタンに接続された溝部分と連絡しており、使用形態において、吸入された所定量の物質を霧状にするように端部が構成された剛性カニューレと連通している。閉鎖の構成では、カニューレの軸は、実質的に、バイアルの軸に平行で、かつ、バイアルの外側の壁の隣に位置する。使用の状態（図示せず）では、カニューレの軸線は、バイアルの軸に対して実質的に垂直に配置される。１つの構成からの通過は、カニューレがボタンにヒンジ止めされているという事実のために作られた。
【００２０】
図２は、本発明の一実施形態によって、噴霧器−容器組立品１０の概略的な斜視図である。
図３は、また、ボタンを取り外した状態で、異なる角度から撮影された、図２の組立品１０の斜視図である。
組立品１０は、噴霧される物質を収容するための容器１２を含む。好ましくは、容器１２は、断面がほぼ丸みのある長方形を有する（図４Ｂ）。他の実施形態では、楕円形の断面、楕円形などを有することができる。いずれの場合でも、容器１２の断面は、長軸と長さの異なる短軸を有する、円形（「円」）ではないことが好ましい。好ましくは、長軸は、短軸の約２倍である。
【００２１】
組立体の形状はまた、ほぼ平坦な表面上にかなり大きなラベルを付けることを可能にする点で有利である。これは、円形断面を有する円筒面とは対照的である。そのようなボトルの場合、ラベルは容器の円形壁に置かれなければならず、そして、これは、それを読む必要があるユーザーにとって不都合である。より平面のラベルはより読み易く、そして、点字での書き込み情報や、バーコード、ＱＲコードなどのいずれかの場合にも有利である。
【００２２】
さらに、本発明の組立品の横断面は、胸ポケットなどに格納することを可能にする。そのようなポケットではより安定したままであり、そして、円形の断面に関して、限られた量で放出する（ｐｒｏｊｅｃｔ）。
【００２３】
好ましくは、その下部基部１２ａの近傍の容器１２の部分はより低く、そして、上部基部に向かって緩やかに増加する。
【００２４】
好ましくは、図４にはっきりと見えるように、組立品１０の正面側１０ｆ（そして、したがって、また、容器１２の）は、実質的に平坦であり、基底１２ａに対して実質的に垂直である。
【００２５】
好ましくは、依然として図４を参照すると、組立品１０の裏側１０ｂは、実質的に湾曲しており、そして、円などの円弧を形成する。この形状は、後で明らかになるように、取扱いおよび人間工学（ｅｒｇｏｎｏｍｉｃｓ）の改善の観点から有利であると考えられる。
代替的な実施形態では、前側１０ｆおよび後側１０ｂは、実質的に平面であり、そして、基部または両方の円の湾曲した弧に垂直であり得る。
【００２６】
容器１２は、いかなる材料でもよいが、しかし、好ましくは、ポリエチレン、ポリエチレンテレフタレートなどの熱可塑性材料であり、成形によって得られる。
【００２７】
容器の下部基部１２ａは好ましくは平坦である。図５Ａに、概略が示されているように、好ましくは、容器の上部基部１２ｂは、容器１２、ポンプ本体１４に結合するために、ねじ首で終わる。ポンプ本体１４は、公知のタイプのものであり、底部が開放された吸入管１４１と、作動ボタン１６に接続された作動ロッド１４２とを備えている。
本発明の噴霧容器組立品１０は、ボタン１６が押下されたとき、および、ボタン１６が付勢されていない両方の場合、トリガーボタン１６のための当接部と保持手段を提供するために、好ましくは、容器１２に会合可能な本体１８を含む。好ましくは、本体１８は、上方に延びる２つの翼１８ａおよび１８ｂを含む部材を含む。好ましくは、部材は、容器１２の輪郭の一部をたどる。前方から見ると、２つの翼１８ａ、１８ｂは、本明細書で後述するであろう、カニューレ２０用のスリットによって分離されていることが好ましい。上記の形状のおかげで、カニューレ２０はその全長に沿って完全に保護されていることが認められる。
その上部に、噴霧器−容器組立品１０は、ポンプトリガーボタン１６を備える。ボタン１６は、ポンプ１４の作動ロッド１４２と協働し、そして、組立品１０の軸方向に並進運動を行うように構成されている。好ましくは、ボタン１６は、本体１８の２つの翼１８ａ、１８ｂによって保持される。好ましくは、ボタン１６は、容器１０に対して実質的に対称的に成形されている。
【００２８】
他の実施形態では、図示されていないが、ボタンの実質的に並進運動は、ガイド配置を提供することによって得ることができる。このようなガイド配置は、例えば、長手方向に延び、ボタン（または本体１８）内に作られた溝と、本体１８（またはボタン内）に嵌合する長手方向の放出（ｐｒｏｊｅｃｔｉｏｎ）とを備えて、作ることができる。
【００２９】
本体１８と容器１２とは安定して、相互に連結されている。一の実施形態によると、前記安定した接続を提供する、本体１８および／または容器１２の部材の、アンダーカット（ｕｎｄｅｒｃｕｔｓ）と、対応する、噛み合い（ｅｎｇａｇｅｍｅｎｔｓ）が提供される。
【００３０】
他の実施形態では、本体１８および容器１２は、接着または溶接、例えば、超音波溶接によって、接続することができる。他の実施形態では、本体１８と容器１２とは、容器１２のねじ付きネックを介して相互に接続される。
【００３１】
ポンプ１４のロッド１４２は、剛性カニューレに挿入され、ポンプを介して吸引される所定量の物質を霧状にするように構成された一端で終わる可撓性チューブに接続されることが好ましい。本発明によれば、組立品１０は、ハウジング２２を備え、このハウジング２２の内で、組立品がその休止形態または不使用の形態にあるときに、カニューレ２０を安全に保持することができる。
【００３２】
好ましくは、ハウジング２２は、組立品１０の長手方向軸に平行な軸に実質的に沿って延びる溝の形態である。組立品１０の上部については、ボタン１６に、その下部に関しては、容器１２内に、溝２２は、形成されている。溝２２は、好ましくは、ボタン１６に対応して深さが大きく、容器１２の高さに沿って深さが小さい。
【００３３】
好ましくは、溝２２は、容器１２ａの基部において封鎖されている（２２ａ）。このように、霧化するように構成された、カニューレ２０の端部は、完全に保護されたまま維持される。
【００３４】
さらに、有利には、この閉鎖部は、阻止剤として機能し、ボタン１６が押されることを防止する。したがって、組立品１０が、その休止位置にあるとき（ｉｎ  ｉｔｓ  ｒｅｓｔ  ｐｏｓｉｔｉｏｎ）、ポンプ１４によって、物質が引き出されることを阻止する。
【００３５】
換言すれば、把持切欠部（ｇｒｉｐｐｉｎｇ  ｎｏｔｃｈ）１２ｃのおかげで、カニューレ２０は、数度回転することができ、そしてその後、カニューレ２０の少なくとも端部が、ハウジング２２の外にあるときは、カニューレの回転は、使用時の構成に到達するまで（カニューレ２０は、組立品１０の長手方向軸に対して実質的に垂直である）行われる。
【００３６】
好ましくは、容器はまた、手の指の先端で、または爪で、カニューレ２０を把持するために提供される把持切欠部１２ｃを含み、カニューレ２０を、ハウジング２２の外側に出す。使用後に、カニューレ２０は、ダウンウォードリー（ｄｏｗｎｗａｒｄｌｙ）に、カニューレを回転させることにより、ハウジング溝２２内に戻される。
上述したように、本発明による容器−噴霧器は、特に実用的であり、取扱いが容易であり、そして、人間工学的である。
【００３７】
第１に、厚さ（断面の短軸）が幅（断面の長軸）よりも小さい。これにより、子供や女性などの小さな手のユーザーでさえも、しっかりと把握できる。後面（円弧状、またはそうでなければ、湾曲）が手の掌で受領することができるような方法で、ユーザーは、組立品１０を握ることができ、そして、前面（フラット）は、ユーザーの手の指の指骨に接している。
【００３８】
このように、把持は、ユーザーにとって、便利で直感的（ｉｎｔｕｉｔｉｖｅ）である。ユーザーは、手のひらと指の間に、組立品を保持するために使用する力が小さいので、ボタンに大きな力を加えることができる。ボタンの上面は広い。これにより、親指が大きい人でもスムーズかつ効率的に押すことができる。
【００３９】
また、本発明の別の利点は、より正確な方向性により、与えられる。
再び、テーパ形状（または、円形ではない形状いずれの場合も）のおかげで、ユーザーは、唯一かつ適切な方法で、組立品を把持し、保持するように導かれる。このようにして、ユーザーは、カニューレが誤って方向付けられるというリスクを冒さない。）。実際には、カニューレが口の中に置かれたとき、ユーザーはそれを見ない、ということに、留意すべきである。既知の噴霧器のユーザーは、それがどのように指向されているかを理解することができない。カニューレのガイドの確実性が高いほど、自然に、より正確に、口腔内の標的領域に到達する。
【００４０】
いずれにしても、本発明の主な利点は、組立品が使用されていないときに、カニューレ全体が修復された状態（特にその端部）を維持することが可能であるように構成される。これにより、衛生管理が改善され、そして、汚染のリスクが回避される。さらに、カニューレが曲がったり壊れたりするリスクは事実上なくなる。それはまた、チップが、ほこり、ごみ、または毛の存在によって詰まるのを実質的に防止する。
【００４１】
さらに、溝２２の閉鎖端部はブロックとして機能し、組立品が不使用の構成にあるときに、ポンプの偶発的な作動を防止する。
一実施形態によれば、組立品の容器は、約１５ｍｌの物質を保持するように構成される。
【００４２】
別の実施形態によれば、前記組立品の容器は、約３０ｍｌの物質を保持できるように構成される。この物質はうがい薬などであってもよい。
本発明の一実施形態によれば、容器は、約２０ｍｍの前面と、約４０ｍｍの側面を有することができる。組立品の全体の高さは、約６０〜６５ｍｍであり、そして、カニューレのハウジング溝は約６０ｍｍの長さを有することができる。
【図１】
2019511978.tif 000003
【図２】
2019511978.tif 000004
【図３】
2019511978.tif 000005
【図４Ａ】
2019511978.tif 000006
【図４Ｂ】
2019511978.tif 000007
【図５】
2019511978.tif 000008
【図５Ａ】
2019511978.tif 000009
【図６】
2019511978.tif 000010
【国際調査報告】
2019511978.tif 000011
2019511978.tif 000012
2019511978.tif 000013